(57)【要約】【課題】１つの隅部付近にホテル名等の表示部を有した表示付き矩形布類を所定小面積まで折畳む際に、表示部の位置が異なると単一の折畳み方法では表示部を常に最終折畳み布類の上面に露出させることができない。【解決手段】上コンベア１５の下側に下コンベア１８を配置し、上コンベア１５上に供給された矩形布類を折り装置２３で２つ折りして下コンベア１８上に送り出すとともに、下コンベア１８の走行方向を可逆的に切換え得るようにした折畳み機１を使用し、１つの隅部付近に表示部を有した表示付き矩形布類を折畳み機に供給する際に表示部がどの位置にあるかによって下コンベア１８の走行方向を表示部が最終折畳み布類の上面に現れる側に設定しておくことで、下コンベア１８上において表示部Ｎを最終折畳み布類の上面に露出させるようにしている。【選択図】  図４
2010273860.tif 000002
【特許請求の範囲】
【請求項１】
折畳むべき展張布類の１つの隅部付近に表示部（Ｎ）を有した表示付き矩形布類（Ｙ0）の折畳み方法であって、
上コンベア（１５）の下側に下コンベア（１８）を配置し、且つ前記上コンベア（１５）上に矩形状態で供給された布類を折り装置（２３）で上方から２つ折りして前記下コンベア（１８）上に送り出すとともに、前記下コンベア（１８）の走行方向を可逆的に切換え得るようにした折畳み機（１）を使用し、
前記表示付き矩形布類（Ｙ0）を折畳み機（１）に供給する際に前記表示部（Ｎ）がどの位置にあるかによって前記下コンベア（１８）の走行方向を前記表示部（Ｎ）が最終折畳み布類（Ｙ）の上面に現れる側に設定しておき、
前記矩形布類を前記表示部（Ｎ）が下面側に位置する状態で前記上コンベア（１５）上に供給し、
該上コンベア（１５）上の矩形布類を前記折り装置（２３）により表示部（Ｎ）が外面に露出するように折畳んだ状態でその折畳み布類の先行側が先に前記下コンベア（１８）上に接するように移動させ、
前記下コンベア（１８）の走行方向を折畳み布類の表示部（Ｎ）が下コンベア（１８）上において上面に現れるように走行させていることで、下コンベア（１８）上において前記表示部（Ｎ）を最終折畳み布類（Ｙ）の上面に露出させるようにしている、
ことを特徴とする表示付き矩形布類の折畳み方法。
【請求項２】
請求項１において、
前記折り装置（２３）で２つ折りされた折畳み布類の先行側が前記下コンベア（１８）上に接した後、該折畳み布類を別の折り装置（２４，２５）により前記下コンベア（１８）上において前記表示部（Ｎ）が最終折畳み布類（Ｙ）の上面に現れるように再折畳みする、
ことを特徴とする表示付き矩形布類の折畳み方法。
【請求項３】
折畳むべき矩形布類の１つの隅部付近に表示部（Ｎ）を有した表示付き矩形布類（Ｙ0）を適数回折畳んで所定小面積まで折畳み得るようにした折畳み機であって、
上コンベア（１５）と、該上コンベア（１５）上に矩形状態で供給された布類をその上面側から２つ折りする折り装置（２３）と、該折り装置（２３）で２つ折りされた折畳み布類を受け取る下コンベア（１８）と、折畳み機に供給される矩形布類の表示部（Ｎ）がどこに位置するかを指定する表示部位置指定手段（９ａ，９ｂ）と、該表示部位置指定手段（９ａ，９ｂ）からの信号に基いて下コンベア（１８）の走行方向を可逆的に切換えるコントローラ（１０）とを備え、
矩形布類（Ｙ0）の供給時に表示部（Ｎ）の位置を表示部位置指定手段（９ａ，９ｂ）で指定することで、コントローラ（１０）により下コンベア（１８）の走行方向を該下コンベア（１８）上に折畳まれた最終折畳み布類（Ｙ）の表示部（Ｎ）が上面に露出するように設定し得るようにしている、
ことを特徴とする表示付き矩形布類の折畳み機。
【請求項４】
請求項３において、
前記折り装置（２３）で２つ折りされた折畳み布類の先行側が前記下コンベア（１８）上に接した後、該折畳み布類を前記下コンベア（１８）上において前記表示部（Ｎ）が最終折畳み布類（Ｙ）の上面に現れるように再折畳みする別の折り装置（２４，２５）を備えている、
ことを特徴とする表示付き矩形布類の折畳み機。
【発明の詳細な説明】
【技術分野】
【０００１】
本願発明は、ベッドパット、ブランケット、タオルケット、シーツ等の大面積の矩形布類を所定小面積まで折畳むためのものであり、さらに詳しくは矩形布類の１つの隅部付近にホテル名等の表示部を有する表示付き矩形布類を該表示部が折畳み布類の上面に現れるように折畳むための表示付き矩形布類の折畳み方法及び折畳み機に関するものである。
【背景技術】
【０００２】
ランドリー工場においては、上記したベッドパット等の大面積布類は、洗濯・乾燥後（必要に応じてプレス後）に図１又は図２の符号Ｙで示すように所定小面積まで折畳んだ状態で顧客に納品するようにしている。尚、図１の折畳み状態（折畳み布類Ｙ）では、展張状態の矩形布類Ｙ0を１／１６の大きさ（１６折り）まで折畳んだものであり、図２の折畳み状態（折畳み布類Ｙ）では、展張状態の矩形布類Ｙ0を１／８の大きさ（８折り）まで折畳んだものであるが、これらの折り回数は顧客の要望によって決められる。
【０００３】
又、ホテル等で使用されるこの種の大面積布類には、１つの隅部付近にホテル名等の表示部Ｎを有するものがある。この表示部Ｎの表示位置は、図１及び図２において実線図示（符号Ｎ）する右・後の位置にあるものや鎖線図示（符号Ｎ′）する左・後の位置にあるもの等がある。そして、これらの表示部Ｎの表示位置が異なるものであっても、図１に示す１６折りする場合又は図２に示す８折りする場合に、いずれも表示部Ｎが上面に露出するように折畳むことが求められる。尚、図１及び図２に表示している「前」、「後」とは矩形布類Ｙ0を展張状態で供給する際の前側及び後側のことであり、「左」、「右」とは矩形布類Ｙ0を展張状態で供給する際の左側及び右側のことである。
【０００４】
この種の大面積布類Ｙ0の折畳み機として、従来から例えば特開２００７−１０５０６７号公報（特許文献１）に示されるものがある。この公知の折畳み機は、例えばシーツのような大面積の矩形布類を順次小さく折畳むものであるが、シーツのサイズによって１／１６折りしたり（元の展張面積の１／１６の大きさ）１／３２折りしたり（元の展張面積の１／３２の大きさ）することができるようになっている。
【先行技術文献】
【特許文献】
【０００５】
【特許文献１】特開２００７−１０５０６７号公報
【発明の概要】
【発明が解決しようとする課題】
【０００６】
ところで、従来（例えば上記特開２００７−１０５０６７号公報）の折畳み機では、単に大面積布類を所定小面積まで折畳むだけのものであって、図１及び図２に示すように矩形布類（展張布類）Ｙ0の１つの隅部付近に表示部Ｎを有するものについて、最終折畳み状態で該表示部Ｎを常に上面に露出させるという機能は備えていない。即ち、該表示部Ｎを有する矩形布類Ｙ0を折畳み機で折畳む際に、布類供給時における表示部Ｎが矩形布類Ｙ0のどの位置にあるか（図１又は図２において右・後の位置か、左・後の位置か）、何回折り畳むか等によって該表示部Ｎが最終折畳み布類Ｙのどの階層に位置するかが不明であり、該表示部Ｎを常に上面に露出させた状態で折畳むという顧客の要望に対応することができないものであった。
【０００７】
そこで、本願発明は、１つの隅部付近にホテル名等の表示部がある矩形布類を所定小面積まで折畳む際に、布類供給時に表示部位置と折り回数とを指定することによって該表示部を常に最終折畳み布類の上面に露出させることができるようにした、表示付き矩形布類の折畳み方法及び折畳み機を提供することを目的としてなされたものである。
【課題を解決するための手段】
【０００８】
本願発明は、上記課題を解決するための手段として次の構成を有している。
【０００９】
［本願請求項１の発明］
本願請求項１の発明は、１つの隅部付近に表示部がある表示付き矩形布類を所定小面積まで折畳む際に、該表示部を最終折畳み布類の上面に露出させるための折畳み方法を対象にしている。
【００１０】
この請求項１の折畳み方法では、矩形布類の折畳み機として、上コンベアの下側に下コンベアを配置し、且つ上コンベア上に矩形状態で供給された布類を折り装置で上方から２つ折りして下コンベア上に送り出すとともに、下コンベアの走行方向を可逆的に切換え得るようにしたものを使用する。
【００１１】
そして、この請求項１の折畳み方法は、次の手順で行う。
【００１２】
まず、表示付き矩形布類を折畳み機に供給する際に、表示部がどの位置にあるかによって下コンベアの走行方向を表示部が最終折畳み布類の上面に現れる側に設定しておく。
【００１３】
次に、矩形布類を表示部が下面側に位置する状態で上コンベア上に供給する。この場合、最終折畳み布類として例えば８折り状態（元の大きさの１／８の大きさ）で折畳む際には、上コンベア上に供給される矩形布類は前工程において予め４つ折りされたものである。又、その４つ折りされた先行折畳み済みの矩形布類であっても、上コンベア上には表示部が下面側に位置する状態で供給する。
【００１４】
次に、上コンベア上の矩形布類を折り装置により表示部が外面に露出するように折畳んだ状態でその折畳み布類の先行側が先に下コンベア上に接するように移動させる。
【００１５】
そして、下コンベアの走行方向を折畳み布類の表示部が下コンベア上において上面に現れる側に走行させていることで、下コンベア上において表示部を最終折畳み布類の上面に露出させるようにしている。
【００１６】
このように、本願請求項１の折畳み方法では、表示付き矩形布類を折畳み機に供給する際に表示部がどの位置にあるかによって下コンベアの走行方向を表示部が最終折畳み布類の上面に現れる側に設定しておくことにより、下コンベア上において最終折畳み布類の表示部が常に上面に露出するようになる。
【００１７】
［本願請求項２の発明］
本願請求項２の発明は、上記請求項１の折畳み方法において、折り装置で２つ折りされた折畳み布類の先行側が下コンベア上に接した後、該折畳み布類を別の折り装置により下コンベア上において表示部が最終折畳み布類の上面に現れるように再折畳みするようにしたものである。
【００１８】
この請求項２の折畳み方法で使用される折畳み機としては、上記別の折り装置として、上コンベア側から下コンベア上に２つ折り状態で下向きに移動してくる折畳み布類（最終折畳み前のもの）の左右に一対設置しておき、該折畳み布類の表示部が左右いずれの側にあるかによって一対の折り装置のどちらの折り装置を作動させるかを選択する。
【００１９】
この請求項２の折畳み方法では、矩形布類が上コンベアから下コンベア上に載せられる間に２回折畳まれるので、請求項１の折畳み方法で折畳まれた折畳み布類をさらに小さく折畳むことができる（例えば８折りのものを１６折りにすることができる）。
【００２０】
［本願請求項３の発明］
本願請求項３の発明は、折畳むべき矩形布類の１つの隅部付近に表示部を有した表示付き矩形布類を適数回折畳んで所定小面積まで折畳み得るようにした折畳み機を対象にしたもので、上記請求項１の折畳み方法を行うためのものである。
【００２１】
そして、この請求項３の折畳み機は、上コンベアと、上コンベア上に矩形状態で供給された布類をその上面側から２つ折りする折り装置と、折り装置で２つ折りされた折畳み布類を受け取る下コンベアと、折畳み機に供給される矩形布類の表示部がどこに位置するかを指定する表示部位置指定手段と、該表示部位置指定手段からの信号に基いて下コンベアの走行方向を可逆的に切換えるコントローラとを備え、矩形布類の供給時に表示部の位置を表示部位置指定手段で指定することで、コントローラにより下コンベアの走行方向を下コンベア上に折畳まれた最終折畳み布類の表示部が上面に露出するように設定し得るようにしたものである。
【００２２】
この請求項３の折畳み機を使用すれば、矩形布類の供給時に表示部の位置を表示部位置指定手段で指定するだけで、上記請求項１の折畳み方法が行われる。
【００２３】
［本願請求項４の発明］
本願請求項４の発明は、上記請求項３の折畳み機において、折り装置で２つ折りされた折畳み布類の先行側が下コンベア上に接した後、該折畳み布類を下コンベア上において表示部が最終折畳み布類の上面に現れるように再折畳みする別の折り装置を備えたものである。
【００２４】
この請求項４の折畳み機を使用すれば、矩形布類の供給時に表示部の位置を表示部位置指定手段で指定するだけで、上記請求項２の折畳み方法が行われる（例えば８折りまでしかできなかったものを１６折りまで折畳むことができる）。
【００２５】
又、この請求項４の折畳み機のように、上記別の折り装置を備えたものであっても、矩形布類の供給位置において該別の折り装置を作動させないように指定することができるようにすることができる。この場合、折り回数を指定することにより単一の折畳み機で例えば８折りと１６折りを選択できる。
【発明の効果】
【００２６】
本願請求項１の折畳み方法及び本願請求項３の折畳み機によれば、表示付き矩形布類を折畳み機に供給する際に表示部の位置を指定するたけで、該表示部を常に最終折畳み布類の上面に露出させることができるので、顧客の要望に対応した折畳みを行うことができるという効果がある。
【００２７】
又、本願請求項２の折畳み方法及び本願請求項４の折畳み機では、上記請求項１及び請求項３の場合より矩形布類をさらに小さく折畳んだ状態でも表示部を常に最終折畳み布類の上面に露出させることができる（顧客の要望に対応した折畳みを行うことができる）という効果がある。
【図面の簡単な説明】
【００２８】
【図１】本願で適用する表示付き矩形布類を１／１６折りする際の説明図である。
【図２】本願で適用する表示付き矩形布類を１／８折りする際の説明図である。
【図３】本願実施例で使用する表示付き矩形布類の折畳み機の側面図である。
【図４】図３のIV−IV矢視図である。
【図５】図３及び図４の折畳み機に使用されている表示部上面出し用の制御系統説明図である。
【図６】裏から見て表示部が「左・後」に位置する表示付き矩形布類を１６折りする場合の折り工程説明図である。
【図７】図６の（Ｃ）の折り工程での折畳み機の作動説明図である。
【図８】図７からの進行変化図である。
【図９】図８からの進行変化図である。
【図１０】図９からの進行変化図である。
【図１１】裏から見て表示部が「右・後」に位置する表示付き矩形布類を１６折りする場合の折り工程説明図である。
【図１２】図１１の（Ｃ）の折り工程での折畳み機の作動説明図である。
【図１３】図１２からの進行変化図である。
【図１４】図１３からの進行変化図である。
【図１５】裏から見て表示部が「左・後」に位置する表示付き矩形布類を８折りする場合の折り工程説明図である。
【図１６】図１５の（Ｄ）の折り工程での折畳み機の作動説明図である。
【図１７】図１６からの進行変化図である。
【図１８】裏から見て表示部が「右・後」に位置する表示付き矩形布類を８折りする場合の折り工程説明図である。
【図１９】図１８の（Ｄ）の折り工程での折畳み機の作動説明図である。
【図２０】図３及び図４の折畳み機を展張機及びプレス機に後続させて設置した場合の説明図である。
【発明を実施するための形態】
【実施例】
【００２９】
以下、図１〜図２０を参照して本願実施例の表示付き矩形布類の折畳み方法及び折畳み機を説明する。
【００３０】
この実施例で折畳み対象となる表示付き矩形布類Ｙ0は、例えばベッドパット、ブランケット、タオルケット、シーツ等のかなり大面積を有するものであるとともに、図１又は図２に示すように展張状態の矩形布類Ｙ0の１つの隅部付近にホテル名等の表示部Ｎ（又はＮ′）を有するものである。
【００３１】
ランドリー工場においては、上記したベッドパット等の大面積布類Ｙ0を洗濯・乾燥後（必要に応じてプレス後）に図１又は図２に符号Ｙで示すように所定小面積まで折畳んだ状態（折畳み布類Ｙ）で顧客に納品するようにしている。
【００３２】
ところで、表示付き矩形布類Ｙ0の表示部Ｎは、図１及び図２に示すように、客先によって表面側から見て右・後位置（符号Ｎの実線図示位置）にあるものや左・後位置（符号Ｎ′の鎖線図示位置）にあるものがある。又、矩形布類の折畳み回数は、顧客の要望によって、図１に示すように展張状態の矩形布類Ｙ0を１／１６の大きさ（１６折り）まで折畳んだり、図２に示すように展張状態の矩形布類Ｙ0を１／８の大きさ（８折り）まで折畳んだりすることがある。そして、表示付き矩形布類Ｙ0の場合は、表示部Ｎの位置や折畳み回数にかかわらず、顧客の要望により最終折畳み布類Ｙの状態で表示部Ｎが上面に露出するように折畳む必要がある。
【００３３】
図３〜図５には、本願実施例の折畳み機１が示されている。この折畳み機１には、図３及び図４に示すように、矩形布類Ｙ0を展張状態で供給する第１コンベア１１と、該第１コンベア１１の終端部に設けた第２コンベア１２と、第１コンベア１１の下向き走行部に接触状態で設けた第３コンベア１３と、第３コンベア１３の下面走行部の接触状態で設けた第４コンベア１４と、第４コンベア１４に連続する第５コンベア１５と、第５コンベア１５の中間部において折畳むべき布類（図６、図１１、図１５、図１８の各（Ｃ）に示す４つ折り布類Ｙ2）を挟持する一対の第６コンベア１６及び第７コンベア１７と、該両コンベア１６，１７の下方に設けた第８コンベア１８と、第８コンベア１８の終端部にあって折畳み布類Ｙを開閉板３１上に移送する第９コンベア１９と、第９コンベア１９の下方において開閉板３１部分から落下する折畳み布類Ｙを順次積層させた状態で搬出する搬出コンベア２０とを有している。
【００３４】
上記各コンベア１１〜２０において、上記第５コンベア１５が特許請求の範囲中の上コンベアに相当し、上記第８コンベア１８が特許請求の範囲中の下コンベアに相当するものである。
【００３５】
尚、以下の説明において、「前」とは第１コンベア１１（及び第５コンベア１５）の搬送方向の下手側のことであり、「後」とは第１コンベア１１（及び第５コンベア１５）の搬送方向の上手側のことであり、「左」とは第１コンベア１１の上手側から見て左側のことであり、「右」とは第１コンベア１１の上手側から見て右側のことである。
【００３６】
又、この折畳み機１（図３、図４）には、第１コンベア１１と第２コンベア１２間で展張布類Ｙ0（例えば図６（Ａ）のもの）を左右に向く折り線Ｌ1で２つ折りするための第１折り装置２１と、第１コンベア１１と第３コンベア１３間で２つ折り布類Ｙ1（例えば図６（Ｂ）のもの）を左右に向く折り線Ｌ2でさらに２つ折り（合計４つ折り）するための第２折り装置２２と、第５コンベア１５上に移送された４つ折り布類Ｙ2（例えば図６（Ｃ）のもの）を前後に向く折り線Ｌ3で２つ折り（合計８つ折り）するための第３折り装置２３と、第６コンベア１６と第７コンベア１７間の下端部から第８コンベア１８上に送り出される８つ折り布類Ｙ3（例えば図６（Ｄ）のもの）を前後に向く折り線Ｌ4（図６（Ｄ）では左右向きに表示している）でさらに２つ折り（合計１６折り）する左右１組の第４折り装置２４と第５折り装置２５とを有している。尚、この実施例では、第１折り装置２１にはエアブローによるものを採用している一方、第２〜第５の各折り装置２２〜２５にはシリンダ（２２ａ，２３ａ，２４ａ，２５ａ）で押板（２２ｂ，２３ｂ，２４ｂ，２５ｂ）を進退作動させるものを採用しているが、これらの各折り装置２１〜２５は、各段階において布類をそれぞれ２つ折りし得るものであれば適宜構成のものを採用できる。
【００３７】
第２コンベア１２と第８コンベア１８と第９コンベア１９とは、それぞれ可逆駆動モータ１２Ａ，１８Ａ，１９Ａで走行方向を可逆的に切換え得るようになっている。尚、これらの可逆駆動モータ１２Ａ，１８Ａ，１９Ａは、コントローラ１０からの信号により後述する所定タイミングで回転方向が切換えられる。
【００３８】
又、この折畳み機１は、図１又は図２に示すように１つの隅部付近にホテル名等の表示部Ｎを有した表示付き矩形布類Ｙ0を、最終折畳み状態Ｙで表示部Ｎが常に上面に露出するように折畳むための機能を有している。即ち、最終折畳み布類Ｙの形状（折畳み回数）及び姿勢（表示部がどの階層にあるか）は、最終折畳み布類Ｙが第８コンベア１８（特許請求の範囲中の下コンベアに相当する）上に載せられたときに決まるが、この折畳み機１には、該第８コンベア１８上において折畳み布類Ｙの表示部Ｎを上面に露出させるために、次の構成を有している。
【００３９】
まず、第１コンベア１１の始端部近傍（展張布類Ｙ0の供給位置近傍）には、折畳むべき展張布類Ｙ0の折り回数及び展張布類Ｙ0に有している表示部Ｎが供給姿勢でどの位置にあるかをそれぞれ指定するための操作パネル７を設置している。
【００４０】
この操作パネル７には、図５に示すように折畳むべき矩形布類Ｙ0の折り回数を指定する折り回数指定ボタン（８ａ，８ｂ）と、矩形布類Ｙ0の表示部Ｎが供給姿勢でどの位置にあるかを指定する表示部位置指定ボタン（９ａ，９ｂ）を有している。尚、この操作パネル７にはスタートボタン７ａもある。
【００４１】
折り回数指定ボタンは、８折り指定ボタン８ａと１６折り指定ボタン８ｂの２つを有している。
【００４２】
表示部位置指定ボタンは、特許請求の範囲中の折り回数指定手段となるもので、左・後位置指定ボタン９ａと右・後位置指定ボタン９ｂの２つを有している。
【００４３】
図５に示すように、各折り回数指定ボタン８ａ，８ｂ及び各表示部位置指定ボタン９ａ，９ｂからの信号は、それぞれコントローラ１０に入力されて該コントローラ１０により、それぞれ後述するように第４折り装置２４と第５折り装置２５を制御する（いずれの折り装置を作動させるか、又は両方の折り装置を作動させないかを選択する）一方、第８コンベア１８及び第９コンベア１９に対して走行方向（各可逆駆動モータ１８Ａ，１９Ａの回転方向）を制御するようになっている。
【００４４】
この折畳み機１で表示付き矩形布類Ｙ0を表示部Ｎが上面に露出する状態で折畳むには、折畳むべき展張布類Ｙ0を何回折りするか（８折りか、１６折りか）、及び第１コンベア１１上に供給する際に表示部Ｎがどの位置にあるか（左・後の位置か、右・後の位置か）によって、４通りの制御が行われる。即ち、図６に示すように展張布類Ｙ0を１６折りで表示部Ｎが「左・後」の位置にある場合と、図１１に示すように展張布類Ｙ0を１６折りで表示部Ｎが「右・後」の位置にある場合と、図１５に示すように展張布類Ｙ0を８つ折りで表示部Ｎが「左・後」の位置にある場合と、図１８に示すように展張布類Ｙ0を８つ折りで表示部Ｎが「右・後」の位置にある場合の４通りがある。
【００４５】
ところで、最終折畳み布類Ｙの上面に表示部Ｎを露出させるためには、第１折り工程（第１折り装置２１）及び該２折り工程（第２折り装置２２）を終えた４つ折り布類Ｙ2（図６、図１１、図１５、図１８の各（Ｃ）のもの）の表示部Ｎを第５コンベア１５上において下面側に位置させる必要があるが、この条件を満たすためには、展張布類Ｙ0を第１コンベア１１の始端部上に供給する際に該展張布類Ｙ0の表示部Ｎが裏側（下面側）で且つ搬送方向の後側（「左・後」か、「右・後」か）に位置するように供給する必要がある。
【００４６】
そして、図６、図１１、図１５、図１８の各（Ａ）の状態で、展張布類Ｙ0を図３に示す第１コンベア１１上に供給すると、該展張布類Ｙ0の１／２長さ位置が第１折り位置（第１折り装置２１）に達した時点で、該展張布類Ｙ0が第１折り装置２１で上方から谷折りされて第１コンベア１１と第３コンベア１３間に送り込まれ（図６、図１１、図１５、図１８の各（Ｂ）の２つ折り状態となる）、その２つ折り布類Ｙ1が第２折り装置２２の押板２２ｂの後面側に１／２長さだけ垂れ下がった時点で該押板２２ｂが後方側に揺動して（図３の符号２２ｂ′）、２つ折り布類Ｙ1の１／２長さ位置を押板２２ｂ′の先端部で支持し（２つ折り布類が符号Ｙ1′の状態となる）、その後に該押板２２ｂ′が前方に揺動して２つ折り布類Ｙ1′の１／２長さ位置を第３コンベア１３と第４コンベア１４間に押し込み、該第３コンベア１３と第４コンベア１４間に送り込まれて４つ折りされた４つ折り布類Ｙ2（図６、図１１、図１５、図１８の各（Ｃ）のもの）が第５コンベア１５上まで移送される。尚、第５コンベア１５上に移送された４つ折り布類Ｙ2の表示部Ｎは、図４において左右いずれの側にあるかは当初の供給姿勢（表示部Ｎが「左・後」の位置か、「右・後」の位置か）によって決まるが、必ず下面側に位置するようになる。
【００４７】
図６、図１１、図１５、図１８に示す４通りの制御方法についてそれぞれ以下に説明する。尚、図６、図１１、図１５、図１８の各（Ａ）〜（Ｄ）又は（Ｅ）において、各布類の平面図の右側に表示しているのは当該布類の右側面図であり、図６、図１１、図１５、図１８の各（Ｃ）の布類の平面図の下側に表示しているのは当該布類の下面図である。又、図６、図１１、図１５、図１８の各（Ａ）及び各（Ｂ）は、布類がそれぞれ上向きに進行する。さらに、図６、図１１、図１５、図１８の各（Ｄ）は、布類が８折り状態で下方に進行する関係で折り部が上下向きになる姿勢で表示している。
【００４８】
［図６に示す１６折りで表示部Ｎが裏側の左・後位置にある場合の作動説明］
図６の場合は、操作パネル７（図５）の１６折り指定ボタン８ｂと左・後位置指定ボタン９ａとを操作した後、第１コンベア１１の始端部上に展張布類Ｙ0を供給する。そして、その展張布類Ｙ0が図７に示すように第５コンベア１５上まで移送されたときには４つ折り布類Ｙ2となっており、しかもその表示部Ｎが第５コンベア１５上で左下面に位置している。このとき（図７の状態）、上記１６折り指定ボタン８ｂと左・後位置指定ボタン９ａを操作していることにより、コントローラ１０からの信号で、第８コンベア１８の上面と第９コンベア１９の下面がそれぞれ右側（実線矢印方向）に走行しているとともに、右側の第４折り装置２４が作動待ちの状態となっている。
【００４９】
図７の状態で第３折り装置２３が作動すると、４つ折り布類Ｙ2の１／２長さ位置が上方から谷折りされ、該４つ折り布類Ｙ2が第６コンベア１６と第７コンベア１７間でさらに２つ折りされる（図６（Ｄ）に示す８つ折り布類Ｙ3となり、表示部Ｎが図６（Ｄ）の左側面の上半部位置に露出している）。
【００５０】
次に、図８に示すように、８つ折り布類Ｙ3の先端部（下端部）が符号Ｙ3′で示すように第８コンベア１８上に接すると、該第８コンベア１８が右走行していることにより、８つ折り布類の先端側が右方向に移送されて該８つ折り布類が符号Ｙ3″のようになる。
【００５１】
次に、図８の符号Ｙ3″で示す８つ折り布類の１／２長さ位置が第４折り装置２４による折り位置に達した時点で、図９に示すように第４折り装置２４が作動してその押板２４ｂにより８つ折り布類Ｙ3の１／２長さ位置に折り目を付けると同時に、第８コンベア１８と第９コンベア１９とがそれぞれ点線矢印で示すように逆向き走行（左走行）して、８つ折り布類Ｙ3を符号Ｙ4で示すように第８コンベア１８上で２つ折り（合計１６折り）する。このとき、第８コンベア１８上にある１６折り布類Ｙ4の上面に表示部Ｎが露出するようになる。
【００５２】
次に、１６折り布類Ｙ4が完全に第８コンベア８上に着座した直後に、コントローラ１０からの信号で図１０に示すように第８コンベア１８と第９コンベア１９とが共に右走行（実線矢印方向）せしめられ、該１６折り布類Ｙ4が第８コンベア１８上から鎖線図示するように第９コンベア１９下面と開閉板３１との間に進入する。そして、該１６折り布類Ｙ4が開閉板３１上の所定位置に達した時点で第９コンベア１９が停止し、続いて開閉板３１が開放することで、開閉板３１上の１６折り布類Ｙ4（最終折畳み布類Ｙ）が下方の搬出コンベア２０（図３、図４）上に落下・着座する。この場合、開閉板３１から下方に落下する最終折畳み布類（１６折り布類）Ｙは、その上面に表示部Ｎが露出している。
【００５３】
尚、同種類の展張布類Ｙ0を順次連続して折畳む場合は、操作パネル７の折り回数指定ボタン８ａ，８ｂ及び表示部位置指定ボタン９ａ，９ｂを無操作で、次の展張布類Ｙ0を第１コンベア１１の始端部上に供給すればよく、順次同様に開閉板３１から１６折り状態（最終折畳み布類Ｙ）で搬出コンベア２０上に落下・積層される。そして、搬出コンベア２０上に所定枚数の折畳み布類Ｙが積層されると、それをカウントして該搬出コンベア２０が搬出方向に作動する。
【００５４】
［図１１に示す１６折りで表示部Ｎが裏側の右・後位置にある場合の作動説明］
図１１の場合は、操作パネル７の１６折り指定ボタン８ｂと右・後位置指定ボタン９ｂとを操作した後、第１コンベア１１の始端部上に展張布類Ｙ0を供給する。そして、その展張布類Ｙ0が図１２に示すように第５コンベア１５上まで移送されたときには４つ折り布類Ｙ2の表示部Ｎが第５コンベア１５上で右下面に位置している。このとき（図１２の状態）、上記１６折り指定ボタン８ｂと右・後位置指定ボタン９ｂを操作していることにより、コントローラ１０からの信号で、第８コンベア１８の上面が左側（点線矢印方向）に走行しているとともに、左側の第５折り装置２５が作動待ちの状態となっている。
【００５５】
この図１２の状態で第３折り装置２３が作動すると、上記の場合と同様に４つ折り布類Ｙ2の１／２長さ位置が上方から谷折りされ、該４つ折り布類Ｙ2が第６コンベア１６と第７コンベア１７間でさらに２つ折りされる（図１１（Ｄ）に示す８つ折り布類Ｙ3となり、表示部Ｎが図１１（Ｄ）の右側面の上半部位置に露出している）。
【００５６】
次に、図１３に示すように、８つ折り布類Ｙ3の先端部（下端部）が符号Ｙ3′で示すように第８コンベア１８上に接すると、該第８コンベア１８が左走行していることにより、８つ折り布類の先端側が左方向に移送されて該８つ折り布類が符号Ｙ3″のようになる。
【００５７】
次に、図１３の符号Ｙ3″で示す８つ折り布類の１／２長さ位置が第５折り装置２５による折り位置に達した時点で、図１４に示すように第５折り装置２５が作動してその押板２５ｂにより８つ折り布類Ｙ3の１／２長さ位置に折り目を付けると同時に、第８コンベア１８が実線矢印で示すように逆向き走行（右走行）する。このとき、第９コンベア１９もその下面側が右走行する。すると、８つ折り布類Ｙ3が図１４に鎖線図示（符号Ｙ3′）するように折り目を付けられながら第８コンベア１８上を右移動し、続いて第９コンベア１９と開閉板３１間に進入して、１６折り布類Ｙ4となる。
【００５８】
その後、該１６折り布類Ｙ4が開閉板３１上の所定位置に達した時点で第９コンベア１９が停止し、続いて開閉板３１が開放することで、開閉板３１上の１６折り布類Ｙ4（最終折畳み布類Ｙ）が下方の搬出コンベア２０（図３、図４）上に落下・着座する。この場合も、開閉板３１から下方に落下する最終折畳み布類（１６折り布類）Ｙは、その上面に表示部Ｎが露出している。
【００５９】
［図１５に示す８折りで表示部Ｎが裏側の左・後位置にある場合の作動説明］
図１５の場合は、操作パネル７の８折り指定ボタン８ａと左・後位置指定ボタン９ａとを操作した後、第１コンベア１１の始端部上に展張布類Ｙ0を供給する。そして、その展張布類Ｙ0が第５コンベア１５上まで移送されると、上記した図７と同様に４つ折り状態で且つその表示部Ｎが第５コンベア１５上で左下面に位置している。
【００６０】
又、この図１５の場合は、上記８折り指定ボタン８ａと左・後位置指定ボタン９ａを操作していることにより、コントローラ１０からの信号で、図１６に示すように第８コンベア１８の上面が左方向（点線矢印方向）に走行しているとともに、第４折り装置２４及び第５折り装置２５は共に作動しない状態となっている。
【００６１】
そして、図１５の場合は、上記図７の状態から第３折り装置２３が作動すると、４つ折り布類Ｙ2の１／２長さ位置が上方から谷折りされ、該４つ折り布類Ｙ2が第６コンベア１６と第７コンベア１７間でさらに２つ折りされる（図１５（Ｄ）に示す８つ折り布類Ｙ3となり、表示部Ｎが図１５（Ｄ）の左側面の上半部位置に露出している）。
【００６２】
次に、図１６に示すように、８つ折り布類Ｙ3の先端部（下端部）が符号Ｙ3′で示すように第８コンベア１８上に接すると、該第８コンベア１８が点線矢印で示す左走行していることにより、８つ折り布類の先端側が左方向に移送されて、８つ折り布類Ｙ3全体が符号Ｙ3″で示すように８つ折り状態のままで第８コンベア１８上に着座する。尚、この図１５の場合は、第４折り装置２４及び第５折り装置２５が共に作動休止しているので、８つ折り布類Ｙ3がさらに２つ折りされることはない。
【００６３】
次に、図１７に示すように８つ折り布類Ｙ3が完全に第８コンベア１８上に着座した直後に、第８コンベア１８が実線矢印で示すように逆向き走行（右走行）する。このとき、第９コンベア１９もその下面側が右走行する。すると、８つ折り布類Ｙ3が図１７に鎖線図示するように第９コンベア１９と開閉板３１間に進入する。そして、該８折り布類Ｙ3が開閉板３１上の所定位置に達した時点で第９コンベア１９が停止し、続いて開閉板３１が開放することで、開閉板３１上の８折り布類Ｙ3（最終折畳み布類Ｙ）が下方の搬出コンベア２０（図３、図４）上に落下・着座する。この場合も、開閉板３１から下方に落下する最終折畳み布類（８折り布類）Ｙは、その上面に表示部Ｎが露出している。
【００６４】
［図１８に示す８折りで表示部Ｎが裏側の右・後位置にある場合の作動説明］
図１８の場合は、操作パネル７の８折り指定ボタン８ａと右・後位置指定ボタン９ｂとを操作した後、第１コンベア１１の始端部上に展張布類Ｙ0を供給する。そして、その展張布類Ｙ0が第５コンベア１５上まで移送されると、上記した図１２と同様に４つ折り状態で且つその表示部Ｎが第５コンベア１５上で右下面に位置している。
【００６５】
又、この図１８の場合は、上記８折り指定ボタン８ａと右・後後位置指定ボタン９ｂを操作していることにより、コントローラ１０からの信号で、図１９に示すように第８コンベア１８の上面と第９コンベア１９の下面がそれぞれ右側（実線矢印方向）に走行しているとともに、第４折り装置２４及び第５折り装置２５は共に作動しない状態となっている。
【００６６】
そして、図１８の場合は、上記図１２の状態から第３折り装置２３が作動すると、４つ折り布類Ｙ2の１／２長さ位置が上方から谷折りされ、該４つ折り布類Ｙ2が第６コンベア１６と第７コンベア１７間でさらに２つ折りされる（図１８（Ｄ）に示す８つ折り布類Ｙ3となり、表示部Ｎが図１８（Ｄ）の右側面の上半部位置に露出している）。
【００６７】
次に、図１９に示すように、８つ折り布類Ｙ3の先端部（下端部）が符号Ｙ3′で示すように第８コンベア１８上に接すると、該第８コンベア１８が実線矢印で示す右走行していることにより、８つ折り布類の先端側が右方向に移送され、符号Ｙ3″の状態を経て８つ折り布類Ｙ3が第９コンベア１９と開閉板３１間に進入する。そして、該８折り布類Ｙ3が開閉板３１上の所定位置に達した時点で第９コンベア１９が停止し、続いて開閉板３１が開放することで、開閉板３１上の８折り布類Ｙ3（最終折畳み布類Ｙ）が下方の搬出コンベア２０（図３、図４）上に落下・着座する。この場合も、開閉板３１から下方に落下する最終折畳み布類（８つ折り布類）Ｙは、その上面に表示部Ｎが露出している。
【００６８】
このように、本願の折畳み機１では、展張布類Ｙ0の折り回数（８折りか、１６折りか）や、第１コンベア１１上への供給時の展張布類Ｙ0の表示部Ｎの位置（左・後位置か、右・後位置か）を、操作パネル７の折り回数指定ボタン（８ａ又は８ｂ）と表示部位置指定ボタン（９ａ，９ｂ）とで指定するだけで、最終折畳み状態で表示部Ｎを必ず最終折畳み布類Ｙの上面側に露出させることができ、顧客の要望（表示部Ｎを上面に露出させた状態で折畳むこと）を確実に満足させることができる。
【００６９】
又、この実施例の折畳み機１では、折り回数指定ボタン８ａ，８ｂを操作することにより、８折りした場合と１６折りした場合の両方でそれぞれ表示部Ｎを上面に露出させた状態で折畳むことができる。
【００７０】
図２０には、上記折畳み機１を展張機２及びプレス機３に連続して設置した場合を示している。
【００７１】
この図２０の場合は、折畳むべき展張布類Ｙ0が、例えば特大サイズのシーツのように大面積であって、供給時に布類を人手で展張させにくいものである場合に有効である。即ち、展張機２には、人の肩幅程度の間隔で２つの投入チャックを有し、作業員が展張すべき大面積布類の一辺の両端角部を捜し出して、その２つの角部を展張機２の両投入チャックに保持させるだけで、後はその大面積布類を自動で展張させることができるようになっている。
【００７２】
そして、展張機２で展張させた布類は、そのままプレス機３でプレスされた後、折畳み機１の第１コンベア１１の始端部上に移送され、該折畳み機１で上記のように所定小面積まで折畳まれる。
【００７３】
又、シーツのような大面積布類にも、その１つの隅部付近にホテル名等の表示部を有するものがあるが、その表示部を上面に露出させた状態で折畳む場合には、図５に示す操作パネル７を展張機２の投入位置の近傍に設置しておき、布類を展張機２に投入する際に操作パネル７の当該折り回数指定ボタン（８ａ，８ｂ）と当該表示部位置指定ボタン（９ａ，９ｂ）をそれぞれ操作することで、折畳み機１まで移送された布類を、その表示部が上面に露出する状態で折畳むことができる。
【符号の説明】
【００７４】
１は折畳み機、７は操作パネル、８ａ，８ｂは折り回数指定ボタン、９ａ，９ｂは表示部位置指定手段（表示部位置指定ボタン）、１０はコントローラ、１５は上コンベア（第５コンベア）、１８は下コンベア（第８コンベア）、２３は折り装置（第３折り装置）、２４は第４折り装置、２５は第５折り装置、Ｙ0は表示付き矩形布類、Ｙは最終折畳み布類、Ｎは表示部である。
【図１】
2010273860.tif 000003
【図２】
2010273860.tif 000004
【図３】
2010273860.tif 000005
【図４】
2010273860.tif 000006
【図５】
2010273860.tif 000007
【図６】
2010273860.tif 000008
【図７】
2010273860.tif 000009
【図８】
2010273860.tif 000010
【図９】
2010273860.tif 000011
【図１０】
2010273860.tif 000012
【図１１】
2010273860.tif 000013
【図１２】
2010273860.tif 000014
【図１３】
2010273860.tif 000015
【図１４】
2010273860.tif 000016
【図１５】
2010273860.tif 000017
【図１６】
2010273860.tif 000018
【図１７】
2010273860.tif 000019
【図１８】
2010273860.tif 000020
【図１９】
2010273860.tif 000021
【図２０】
2010273860.tif 000022